(57)【特許請求の範囲】
【請求項１】
予め定められた表示領域に投影光を出力する投影装置に対し、当該投影光により投影される投影領域における複数の位置にそれぞれ複数の図形が表示されるよう、当該複数の図形を含む第１の画像を投影させ表示させるステップと、
前記表示された複数の図形のうち輝度が最大となる図形を特定することで、前記投影領域において輝度が最大となる輝度中心点を特定するステップと、
前記投影装置に対し、前記特定した輝度中心点を示す第２の画像を投影させ表示させるステップと、を実行する方法。
【請求項２】
予め定められた表示領域に投影光を出力する投影装置に対し、当該投影光に対する反射光の輝度が最大となる点であって当該投影光の中心を示す点となる輝度中心点を特定するステップと、
前記特定した輝度中心点を示す画像を前記表示領域に投影するステップと、
前記表示領域において前記投影光の中心を向ける位置の目標とされる第２の位置を決定するステップと、
前記投影された輝度中心点により、前記表示領域において前記投影光の中心が向けられている位置である第１の位置を把握すると共に、当該投影された輝度中心点が前記第２の位置に重なるように前記投影装置を調整することで、当該投影光の中心を当該第１の位置から当該第２の位置に向けて移動させるステップと、を実行する方法。
【請求項３】
予め定められた表示領域に投影光を出力する投影装置に対し、当該投影光により投影される投影領域における複数の位置にそれぞれ複数の図形が表示されるよう、当該複数の図形を含む第１の画像を投影させ表示させるステップと、
前記表示された複数の図形のうち輝度が最大となる図形を特定することで、前記投影領域において輝度が最大となる点であって前記投影光の中心を示す点となる輝度中心点を特定するステップと、
前記特定した輝度中心点を示す第２の画像を前記投影領域に投影させ表示させるステップと、
前記表示領域において前記投影光の中心を向ける位置として目標とされる第２の位置を決定するステップと、
前記表示された輝度中心点により、前記表示領域において前記投影光の中心が向けられている位置である第１の位置を把握すると共に、当該表示された輝度中心点が前記第２の位置に重なるように前記投影装置を調整することで、当該投影光の中心を当該第１の位置から当該第２の位置に向けて移動させるステップと、を実行する方法。
【請求項４】
予め定められた表示領域に投影光を出力する投影装置に対し、当該投影光により投影される投影領域における複数の位置にそれぞれ複数の図形が表示されるよう、当該複数の図形を含む第１の画像を投影させ表示させる第１の表示制御手段と、
操作者からの指示を受け付ける受付手段と、
前記受付手段が受け付けた指示であって表示された前記複数の図形に関する前記操作者からの指示に基づいて、当該複数の図形のうち輝度が最大となる図形を特定することで、前記投影領域において輝度が最大となる輝度中心点を特定する特定手段と、
前記投影装置に対し、前記特定された輝度中心点を示す第２の画像を投影させ表示させる第２の表示制御手段と、を備える表示制御装置。
【請求項５】
前記投影領域において、基準となる１つの基準位置と、当該基準位置の比較対象となり且つ当該基準位置とは重ならないように配置された少なくとも１つの対象位置とを決定する位置決定手段と、
前記基準位置に表示する基準図形の色と前記対象位置に表示する対象図形の色とを設定するとともに、前記投影領域において当該基準図形および当該対象図形の背景となる背景画像の色を当該基準図形および当該対象図形とは異なる色に設定する色設定手段とをさらに備え、
前記第１の表示制御手段は、前記基準図形と前記対象図形と前記背景画像とを含む前記第１の画像を投影させ表示させることを特徴とする請求項４に記載の表示制御装置。
【請求項６】
前記色設定手段は、前記位置決定手段が前記基準位置および前記対象位置を決定すると、前記基準図形の色と前記対象図形の色とを予め定められた色に設定し、
前記特定手段は、前記受付手段が、前記基準図形の色が前記対象図形の色に見えるとする入力を受け付けると、当該基準図形に設定された色と当該対象図形に設定された色とに基づいて、当該対象図形が表示された前記対象位置の明るさの度合いを特定することを特徴とする請求項５に記載の表示制御装置。
【請求項７】
前記受付手段は、前記基準図形の色が前記対象図形の色に見えるとする入力がされない当該対象図形に関して、当該基準図形および当該対象図形のうちの一方の色を固定して他方の色を変更する指示の入力を受け付け、
前記色設定手段は、前記変更する指示に基づいて、前記基準図形または前記対象図形の色を変更することを特徴とする請求項６に記載の表示制御装置。
【請求項８】
前記位置決定手段は、前記特定手段により特定された前記対象位置の明るさの度合いに基づいて、当該対象位置のうちで、または前記基準位置および当該対象位置のうちで最も明るい位置を新たな基準位置として決定するとともに、当該新たな基準位置の周囲に少なくとも１つの新たな対象位置を決定し、
前記特定手段は、前記最も明るい位置が予め定められた条件を満たす場合、当該最も明るい位置を前記投影領域における輝度中心点として特定することを特徴とする請求項７に記載の表示制御装置。
【請求項９】
コンピュータに、
予め定められた表示領域に投影光を出力する投影装置に対し、当該投影光により投影される投影領域における複数の位置にそれぞれ複数の図形が表示されるよう、当該複数の図形を含む第１の画像を投影させ表示させる機能と、
操作者からの指示を受け付ける機能と、
受け付けた指示であって表示された前記複数の図形に関する前記操作者からの指示に基づいて、当該複数の図形のうち輝度が最大となる図形を特定することで、前記投影領域において輝度が最大となる輝度中心点を特定する機能と、
前記投影装置に対し、前記特定した輝度中心点を示す第２の画像を投影させ表示させる機能と、を実現させるためのプログラム。
【発明の詳細な説明】
【技術分野】
【０００１】
本発明は、表示制御装置、方法およびプログラムに関する。
【背景技術】
【０００２】
公報記載の従来技術として、表示画面を複数の領域に区分した各画面領域について、階調値の変化に対する輝度値の変化を示す傾きが所定値より大きい階調範囲内で選択する複数の階調値の階調間隔が、傾きが所定値より小さい階調範囲内で選択する複数の階調値の階調間隔より密になる様に選択した複数の階調値及び複数の階調値について測定した輝度値の関係を記録し、記録した階調値及び画面領域毎の輝度値の関係に基づいて、画像信号の階調値を画面領域毎に補正することで、表示画面の輝度むらを調整する表示装置が存在する（特許文献１参照）。
【先行技術文献】
【特許文献】
【０００３】
【特許文献１】特開２０１０−１６０５０９号公報
【発明の概要】
【発明が解決しようとする課題】
【０００４】
本発明の目的は、投影装置に投影領域における輝度中心点を示す画像を表示させて投影光の中心がどの位置にあるのかを把握することにある。
【課題を解決するための手段】
【０００５】
請求項１記載の発明は、予め定められた表示領域に投影光を出力する投影装置に対し、当該投影光により投影される投影領域における複数の位置にそれぞれ複数の図形が表示されるよう、当該複数の図形を含む第１の画像を投影させ表示させるステップと、前記表示された複数の図形のうち輝度が最大となる図形を特定することで、前記投影領域において輝度が最大となる輝度中心点を特定するステップと、前記投影装置に対し、前記特定した輝度中心点を示す第２の画像を投影させ表示させるステップと、を実行する方法である。
請求項２記載の発明は、予め定められた表示領域に投影光を出力する投影装置に対し、当該投影光に対する反射光の輝度が最大となる点であって当該投影光の中心を示す点となる輝度中心点を特定するステップと、前記特定した輝度中心点を示す画像を前記表示領域に投影するステップと、前記表示領域において前記投影光の中心を向ける位置の目標とされる第２の位置を決定するステップと、前記投影された輝度中心点により、前記表示領域において前記投影光の中心が向けられている位置である第１の位置を把握すると共に、当該投影された輝度中心点が前記第２の位置に重なるように前記投影装置を調整することで、当該投影光の中心を当該第１の位置から当該第２の位置に向けて移動させるステップと、を実行する方法である。
請求項３記載の発明は、予め定められた表示領域に投影光を出力する投影装置に対し、当該投影光により投影される投影領域における複数の位置にそれぞれ複数の図形が表示されるよう、当該複数の図形を含む第１の画像を投影させ表示させるステップと、前記表示された複数の図形のうち輝度が最大となる図形を特定することで、前記投影領域において輝度が最大となる点であって前記投影光の中心を示す点となる輝度中心点を特定するステップと、前記特定した輝度中心点を示す第２の画像を前記投影領域に投影させ表示させるステップと、前記表示領域において前記投影光の中心を向ける位置として目標とされる第２の位置を決定するステップと、前記表示された輝度中心点により、前記表示領域において前記投影光の中心が向けられている位置である第１の位置を把握すると共に、当該表示された輝度中心点が前記第２の位置に重なるように前記投影装置を調整することで、当該投影光の中心を当該第１の位置から当該第２の位置に向けて移動させるステップと、を実行する方法である。
請求項４記載の発明は、  予め定められた表示領域に投影光を出力する投影装置に対し、当該投影光により投影される投影領域における複数の位置にそれぞれ複数の図形が表示されるよう、当該複数の図形を含む第１の画像を投影させ表示させる第１の表示制御手段と、操作者からの指示を受け付ける受付手段と、前記受付手段が受け付けた指示であって表示された前記複数の図形に関する前記操作者からの指示に基づいて、当該複数の図形のうち輝度が最大となる図形を特定することで、前記投影領域において輝度が最大となる輝度中心点を特定する特定手段と、前記投影装置に対し、前記特定された輝度中心点を示す第２の画像を投影させ表示させる第２の表示制御手段と、を備える表示制御装置である。
請求項５記載の発明は、前記投影領域において、基準となる１つの基準位置と、当該基準位置の比較対象となり且つ当該基準位置とは重ならないように配置された少なくとも１つの対象位置とを決定する位置決定手段と、前記基準位置に表示する基準図形の色と前記対象位置に表示する対象図形の色とを設定するとともに、前記投影領域において当該基準図形および当該対象図形の背景となる背景画像の色を当該基準図形および当該対象図形とは異なる色に設定する色設定手段とをさらに備え、前記第１の表示制御手段は、前記基準図形と前記対象図形と前記背景画像とを含む前記第１の画像を投影させ表示させることを特徴とする請求項４に記載の表示制御装置である。
請求項６記載の発明は、前記色設定手段は、前記位置決定手段が前記基準位置および前記対象位置を決定すると、前記基準図形の色と前記対象図形の色とを予め定められた色に設定し、前記特定手段は、前記受付手段が、前記基準図形の色が前記対象図形の色に見えるとする入力を受け付けると、当該基準図形に設定された色と当該対象図形に設定された色とに基づいて、当該対象図形が表示された前記対象位置の明るさの度合いを特定することを特徴とする請求項５に記載の表示制御装置である。
請求項７記載の発明は、前記受付手段は、前記基準図形の色が前記対象図形の色に見えるとする入力がされない当該対象図形に関して、当該基準図形および当該対象図形のうちの一方の色を固定して他方の色を変更する指示の入力を受け付け、前記色設定手段は、前記変更する指示に基づいて、前記基準図形または前記対象図形の色を変更することを特徴とする請求項６に記載の表示制御装置である。
請求項８記載の発明は、前記位置決定手段は、前記特定手段により特定された前記対象位置の明るさの度合いに基づいて、当該対象位置のうちで、または前記基準位置および当該対象位置のうちで最も明るい位置を新たな基準位置として決定するとともに、当該新たな基準位置の周囲に少なくとも１つの新たな対象位置を決定し、前記特定手段は、前記最も明るい位置が予め定められた条件を満たす場合、当該最も明るい位置を前記投影領域における輝度中心点として特定することを特徴とする請求項７に記載の表示制御装置である。
請求項９記載の発明は、コンピュータに、予め定められた表示領域に投影光を出力する投影装置に対し、当該投影光により投影される投影領域における複数の位置にそれぞれ複数の図形が表示されるよう、当該複数の図形を含む第１の画像を投影させ表示させる機能と、操作者からの指示を受け付ける機能と、受け付けた指示であって表示された前記複数の図形に関する前記操作者からの指示に基づいて、当該複数の図形のうち輝度が最大となる図形を特定することで、前記投影領域において輝度が最大となる輝度中心点を特定する機能と、前記投影装置に対し、前記特定した輝度中心点を示す第２の画像を投影させ表示させる機能と、を実現させるためのプログラムである。
【発明の効果】
【０００６】
請求項１記載の発明によれば、投影装置に投影領域における輝度中心点を示す画像を表示させて投影光の中心がどの位置にあるのかを把握することができる。
請求項２記載の発明によれば、投影装置に投影領域における輝度中心点を示す画像を表示させて投影光の中心がどの位置にあるのかを把握すると共に、投影光の中心を目標とする位置に移動させることができる。
請求項３記載の発明によれば、投影装置に投影領域における輝度中心点を示す画像を表示させて投影光の中心がどの位置にあるのかを把握すると共に、投影光の中心を目標とする位置に移動させることができる。
請求項４記載の発明によれば、投影装置に投影領域における輝度中心点を示す画像を表示させて投影光の中心がどの位置にあるのかを把握することができる。
請求項５記載の発明によれば、本構成を有していない場合と比較して、投影領域における明るさのむらに関する情報の取得が容易になる。
請求項６記載の発明によれば、投影領域に定めた位置の明るさの度合いを取得できるようになる。
請求項７記載の発明によれば、本構成を有していない場合と比較して、投影領域に定めた位置の明るさの度合いを取得することが容易になる。
請求項８記載の発明によれば、本構成を有していない場合と比較して、投影光の中心がどの位置にあるのかを把握し易くなる。
請求項９記載の発明によれば、投影装置に投影領域における輝度中心点を示す画像を表示させて投影光の中心がどの位置にあるのかを把握することができる機能をコンピュータにより実現できる。
【図面の簡単な説明】
【０００７】
【図１】本実施の形態に係る表示システムの概略構成の一例を示す図である。
【図２】本実施の形態に係る表示制御装置の機能構成例を示したブロック図である。
【図３】（ａ）（ｂ）は、目標中心点の一例を説明するための図である。
【図４】（ａ）〜（ｃ）は、輝度を特定する手順の一例について説明するための図である。
【図５】（ａ）（ｂ）は、輝度中心点の位置を特定する手順の一例について説明するための図である。
【図６】輝度中心点を示す画像を表示する手順の一例を示したフローチャートである。
【図７】輝度中心点を示す画像をもとに、投影光の中心を目標中心点に向けて移動させる手順の一例を説明するための図である。
【図８】輝度平均点の位置を決定する手順の一例について説明するための図である。
【図９】輝度平均点の位置を決定する手順の一例を示したフローチャートである。
【図１０】本発明の実施の形態に係る表示制御装置のハードウェア構成例を示した図である。
【発明を実施するための形態】
【０００８】
以下、添付図面を参照して、本発明の実施の形態について詳細に説明する。
［実施の形態１］
＜システム構成の説明＞
まず、本実施の形態に係る表示システム１の全体構成について説明する。図１は、本実施の形態に係る表示システム１の概略構成の一例を示す図である。表示システム１は、スクリーン３０に投影光を出力して画像を投影する複数のプロジェクタ１０（本実施の形態では２台のプロジェクタ）と、投影光によりスクリーン３０に投影される領域（以下、投影領域と称する）内において最も明るい点（輝度が最大となる点）の位置を示す情報を出力する表示制御装置２０とを備えている。また、本実施の形態において、表示システム１は、複数のプロジェクタ１０として、第１のプロジェクタ１０Ａ、第２のプロジェクタ１０Ｂを備える。
【０００９】
投影装置の一例としてのプロジェクタ１０は、パーソナルコンピュータ（不図示）や表示制御装置２０等から送信された画像データに基づき、スクリーン３０に投影光を出力して画像を投影する。本実施の形態では、第１のプロジェクタ１０Ａにより投影される投影領域１１Ａと第２のプロジェクタ１０Ｂにより投影される投影領域１１Ｂとがスクリーン３０に表示される。以下では、投影領域１１Ａ、投影領域１１Ｂをそれぞれ区別しないときは、投影領域１１と呼ぶことがある。
【００１０】
また、スクリーン３０に投影されることによって画像が表示される領域を表示領域１２と称することとする。即ち、スクリーン３０の一部が表示領域１２であり、例えば、第１のプロジェクタ１０Ａの１台のみを使用して投影する場合、投影領域１１Ａと表示領域１２とは同じ領域を示すこととなる。一方、図１に示すように、複数のプロジェクタ１０を使用する場合、各プロジェクタ１０の投影領域１１を足し合わせた領域が表示領域１２となる。また、各プロジェクタ１０の投影領域１１では、投影光の中心から離れるにつれて（投影領域１１における端側に向かうにつれて）光量が少なくなる等、投影領域１１内で光量に差があるため、輝度のむらが生じるものとする。ただし、プロジェクタ１０から出力される投影光の中心は、投影領域１１において輝度が最大となる点（以下、輝度中心点と称する）である。
【００１１】
表示制御装置２０は、詳細については後述するが、投影領域１１内における輝度中心点の位置を示す情報をプロジェクタ１０ごとに出力する。ここで、表示制御装置２０は、投影領域１１における複数の位置にそれぞれ複数の図形（以下、単位図形と称する）が表示されるようにプロジェクタ１０を制御する。この単位図形は、輝度の基準となる点である起点、操作者により起点との輝度の比較が行われる点であるサンプル点の各位置に表示される。本実施の形態では、第１の画像の一例として、複数の単位図形を含む画像が用いられる。
【００１２】
そして、操作者が目視により起点およびサンプル点に表示された各単位図形の色（明るさ）を比較することで、各サンプル点の輝度が特定される。ここで、目視により明るいとされるサンプル点は、投影光に対する反射光の輝度が大きいサンプル点といえる。そして、輝度が最大となる輝度中心点では、投影光に対する反射光の輝度が最大となる。ただし、本実施の形態において特定される輝度は、起点やサンプル点の明るさを相対的に表した値とする。本実施の形態では、明るさの度合いの一例として、特定される輝度が用いられる。また、本実施の形態では、基準位置の一例として起点の位置、対象位置の一例としてサンプル点の位置が定められる。さらに、本実施の形態では、基準図形および対象図形の一例として、単位図形が用いられる。
【００１３】
また、表示制御装置２０は、特定された各サンプル点の輝度をもとに、サンプル点のうちで最も輝度の大きい点を選択し、選択した点を新たな起点として起点の周囲に新たにサンプル点が配置されるようにサンプル点の位置を決定する。表示制御装置２０は、このような輝度の大きいサンプル点の選択を繰り返すことで、最終的に、投影領域１１内の輝度中心点の位置を特定する。そして、表示制御装置２０は、プロジェクタ１０の投影光の中心が向けられる位置を、輝度中心点を特定したときの位置（向き）のままにして、輝度中心点が投影領域１１におけるどの位置にあるかを示す画像を表示させる。前述の通り、プロジェクタ１０から出力される投影光の中心は輝度が最大となる点であるため、輝度中心点を示す画像を表示することで、操作者は対象とするプロジェクタ１０の投影光の中心がその時点でどの位置にあるのかを把握することができる。本実施の形態では、第２の画像の一例として、輝度中心点を示す画像が用いられる。
【００１４】
また、操作者は、表示領域１２において投影光の中心を向ける位置として目標とされる点（以下、目標中心点と称する）を特定する。目標中心点は、プロジェクタ１０の台数や投影先の表示領域１２の大きさ等をもとに操作者により決定されるものであり、操作者は、これらの情報に基づいて決定した目標中心点を示す位置を、スクリーン３０上に印を付ける等して明確にしておく。目標中心点は、投影光の中心を向ける位置の目標とされる点であるので、操作者は、輝度中心点が目標中心点に重なるようにプロジェクタ１０の位置を調整することになる。このとき、操作者は、プロジェクタ１０により投影され表示された輝度中心点を示す画像と、自らが特定した目標中心点の位置とを比較した上で、表示された輝度中心点が特定した目標中心点の位置に重なるように、プロジェクタ１０の位置（向き）を調整する。
【００１５】
＜表示制御装置の機能構成の説明＞
次に、表示制御装置２０の機能構成について説明する。図２は、本実施の形態に係る表示制御装置２０の機能構成例を示したブロック図である。
【００１６】
表示制御装置２０は、操作者による入力を受け付ける受付部２１と、起点およびサンプル点に表示される単位図形に設定する色を決定するとともに、背景となる色を決定する色決定部２３とを備える。また、表示制御装置２０は、各サンプル点の輝度を特定する輝度特定部２４と、起点およびサンプル点の位置を決定する位置決定部２５と、スクリーン３０に画像が表示されるようにプロジェクタ１０を制御する表示制御部２６とを備える。
【００１７】
受付手段の一例としての受付部２１は、操作者から、投影領域１１内における輝度中心点の位置を示す情報を出力するための指示を受け付ける。
ここで、受付部２１は、投影領域１１内にまだ単位図形が表示されていない場合には、操作者からの指示として、単位図形の表示を開始する指示を受け付ける。受付部２１は、単位図形の表示を開始する指示を受け付けると、受け付けた指示を色決定部２３および位置決定部２５に出力する。
【００１８】
また、受付部２１は、投影領域１１内に単位図形が表示されている場合、操作者からの指示として、サンプル点に表示された単位図形の色が起点に表示された単位図形の色と同じに見えるとしてそのサンプル点を選択する指示を受け付ける。以下では、このように操作者の目視により確認される単位図形の色を目視色と称することがある。受付部２１は、サンプル点を選択する指示を受け付けると、受け付けた指示を色決定部２３および輝度特定部２４に出力する。
【００１９】
さらに、受付部２１は、投影領域１１内に単位図形が表示されている場合には、操作者からの指示として、起点またはサンプル点の単位図形に設定される色（以下、単位図形に設定される色を設定色と称する）を変更する指示を受け付ける。ここで、操作者は、サンプル点に表示された単位図形の色（目視色）が起点に表示された単位図形の色（目視色）と同じに見えない場合に、起点またはサンプル点における単位図形の設定色を変更する指示を入力する。受付部２１は、単位図形の設定色を変更する指示を受け付けると、受け付けた指示を色決定部２３に出力する。
【００２０】
色設定手段の一例としての色決定部２３は、起点およびサンプル点における単位図形の設定色を決定するとともに、単位図形の背景となる背景画像の色を決定する。ここで、色決定部２３は、受付部２１から単位図形の表示を開始する指示が入力され、位置決定部２５により起点およびサンプル点の位置が決定されると、起点およびサンプル点における全ての単位図形の設定色を予め定められた色等の同一の色として決定する。また、色決定部２３は、背景画像の色を単位図形とは異なる色に決定する。
【００２１】
また、色決定部２３は、位置決定部２５により新たな起点およびサンプル点の位置が決定されると、新たな起点およびサンプル点における全ての単位図形の設定色を予め定められた色等の同一の色として決定し、背景画像の色を単位図形とは異なる色に決定する。さらに、色決定部２３は、受付部２１から単位図形の設定色を変更する指示が入力された場合、その単位図形の設定色を指示された色に変更することを決定する。
色決定部２３は、単位図形の設定色および背景画像の色を決定すると、決定した単位図形の設定色の情報を輝度特定部２４および表示制御部２６に出力し、決定した背景画像の色の情報を表示制御部２６に出力する。
【００２２】
特定手段の一例としての輝度特定部２４は、各単位図形の輝度、即ち各サンプル点の輝度を特定する。ここで、輝度特定部２４は、色決定部２３から起点およびサンプル点における単位図形の設定色の情報を取得するとともに、位置決定部２５から起点およびサンプル点の位置の情報を取得する。そして、輝度特定部２４は、受付部２１からサンプル点を選択する指示が入力されると、起点およびサンプル点における単位図形の設定色をもとに、選択されたサンプル点（単位図形）の輝度を特定する。
また、輝度特定部２４は、投影領域１１内の全てのサンプル点（単位図形）の輝度を特定すると、サンプル点（単位図形）のうちで最も輝度の大きい点（単位図形）を選択し、選択した点（または、選択した単位図形が位置する点）を位置決定部２５に通知する。
【００２３】
特定手段、位置決定手段の一例としての位置決定部２５は、単位図形が表示される起点およびサンプル点の位置を決定する。サンプル点は、起点と重ならないように配置される。
ここで、受付部２１から単位図形の表示を開始する指示が入力された場合、位置決定部２５は、単位図形が表示される点として、１つの起点、および少なくとも１つのサンプル点の位置を決定する。そして、位置決定部２５は、決定した起点およびサンプル点の位置の情報を色決定部２３、輝度特定部２４および表示制御部２６に出力する。
【００２４】
また、位置決定部２５は、輝度特定部２４から最も輝度の大きい点が通知された場合、最も輝度が大きい点として通知されたサンプル点を新たな起点として決定するとともに、新たな起点の周囲に少なくとも１つの新たなサンプル点が配置されるようにサンプル点の位置を決定する。そして、位置決定部２５は、新たに決定した起点およびサンプル点の位置の情報を色決定部２３、輝度特定部２４および表示制御部２６に出力する。
【００２５】
さらに、位置決定部２５は、輝度特定部２４から通知された最も輝度の大きい点が予め定められた条件を満たす場合、その最も輝度の大きい点を輝度中心点として特定する。そして、位置決定部２５は、特定した輝度中心点の位置の情報を表示制御部２６に出力する。
【００２６】
第１の表示制御手段、第２の表示制御手段の一例としての表示制御部２６は、位置決定部２５から入力された起点およびサンプル点の位置の情報、色決定部２３から入力された各単位図形の設定色の情報および背景画像の色の情報に基づいて、単位図形および背景画像が表示されるようにプロジェクタ１０を制御する。ここで、表示制御部２６は、投影領域１１における複数の位置にそれぞれ複数の単位図形が表示され、単位図形の背景に背景画像が表示されるように、プロジェクタ１０を制御する。
また、表示制御部２６は、位置決定部２５から輝度中心点の位置の情報が入力されると、入力された輝度中心点の位置の情報に基づいて、輝度中心点を示す画像が表示されるようにプロジェクタ１０を制御する。
【００２７】
＜目標中心点の説明＞
次に、投影領域１１における目標中心点について説明する。図３（ａ）（ｂ）は目標中心点の一例を説明するための図である。図３（ａ）は１台の第１のプロジェクタ１０Ａによる表示領域１２（即ち、投影領域１１Ａ）における目標中心点の一例を示す図であり、図３（ｂ）は第１のプロジェクタ１０Ａ及び第２のプロジェクタ１０Ｂの２台のプロジェクタ１０による表示領域１２（即ち、投影領域１１Ａ及び投影領域１１Ｂ）における目標中心点の一例を示す図である。
【００２８】
図３（ａ）に示す例では、投影領域１１Ａ（表示領域１２）の中央の輝度が最大となるように、目標中心点は投影領域１１Ａの中央の位置に定められている。また、図３（ｂ）に示す例では、投影先のスクリーン３０の大きさや、それに伴い調整される投影領域１１の重なりの大きさ等に基づいて、目標中心点は、２つの投影領域である投影領域１１Ａと投影領域１１Ｂとを足し合わせた表示領域１２の中間（破線）から右（または左）にずれた位置に定められている。このように、目標中心点は、使用するプロジェクタ１０の台数や、投影先の表示領域１２の大きさ、投影領域１１の重なりの大きさ等に基づいて、操作者により定められる。操作者は、目標中心点の位置を明確にするために、スクリーン３０上に印を付ける等して準備しておくと良い。
【００２９】
＜輝度の特定手順の説明＞
次に、表示制御装置２０がサンプル点の輝度を特定する手順について説明する。図４（ａ）〜（ｃ）は、輝度を特定する手順の一例について説明するための図である。
各プロジェクタ１０の投影領域１１内では輝度のむらが生じるため、起点および各サンプル点の輝度が異なる場合がある。各点の輝度が異なれば、同一の設定色を持つ単位図形を各点に表示させたとしても、操作者にはスクリーン３０に表示される単位図形の色（目視色）がそれぞれ異なって見えることとなる。そこで、本手順において、操作者は、起点やサンプル点における単位図形の設定色を変更する指示を入力し、その都度、起点の単位図形の目視色とサンプル点の単位図形の目視色とを比較することで、表示制御装置２０により各サンプル点の輝度が特定される。
【００３０】
また、輝度の特定はプロジェクタ１０ごとに行われる。即ち、本実施の形態では、第１のプロジェクタ１０Ａ、第２のプロジェクタ１０Ｂのそれぞれで輝度の特定が行われる。以下では、第１のプロジェクタ１０Ａについて輝度を特定する場合を例として説明する。
【００３１】
操作者により単位図形の表示を開始する指示が入力されると、位置決定部２５は、１つの起点および少なくとも１つのサンプル点の位置を決定する。ここでは、例えば、起点およびサンプル点が第１のプロジェクタ１０Ａによる投影領域１１Ａ内に均等に広がるように、各点の位置が決定される。図４（ａ）は、最初に決定された起点およびサンプル点の位置を示す一例の図である。図４（ａ）に示す例において、起点は投影領域１１Ａの中心に決定され、その周囲にサンプル点（点Ａ１〜点Ｈ１）が設定される。ただし、ここで決定される起点の位置は、投影領域１１Ａ内の中心でも端でも良いものとする。
【００３２】
また、起点およびサンプル点には、色決定部２３により決定された設定色を持つ単位図形が表示される。図４（ｂ）は、単位図形の設定色の一例を示した図である。図示のように、例えば、単位図形には、明るさが５段階に分けられたグレーの色のいずれか（各色を「１」〜「５」とし、「１」が最も明るいものとする）が設定される。色決定部２３は、単位図形の表示を開始する指示が入力された場合、起点およびサンプル点における全ての設定色を予め定められた色等の同一の色として決定するが、ここでは、図４（ａ）に示す全ての点に「２」の色をした単位図形が表示されることとする。
【００３３】
次に、操作者は、起点の単位図形の目視色と同じ色に見える単位図形が表示されたサンプル点を選択する。輝度特定部２４は、サンプル点を選択する指示が入力されると、選択されたサンプル点の輝度を、例えば、「輝度２」として特定する。ここでは、起点の単位図形の設定色は「２」、選択されたサンプル点の単位図形の設定色も「２」であり、その状態で両単位図形の目視色が同じである。そのため、起点の輝度と選択されたサンプル点の輝度とは同じであると言え、輝度特定部２４は、起点の輝度も「輝度２」として特定しても良い。図４（ａ）に示す例においては、起点、点Ｇ１の輝度が「輝度２」として特定される。
【００３４】
次に、操作者は、起点の単位図形の設定色については固定し、「輝度２」以外のサンプル点に表示された単位図形の設定色を「２」よりも暗い「３」に変更する指示を入力し、起点の単位図形の目視色と変更後のサンプル点における単位図形の目視色とを比較する。そして、操作者は、起点の単位図形の目視色と同じ色に見える単位図形が表示されたサンプル点を選択する。ここで選択されるサンプル点の単位図形の設定色は、起点の単位図形の設定色である「２」よりも暗い「３」であり、その状態で両単位図形の目視色が同じである。そのため、選択されるサンプル点の方が起点よりも明るい（輝度が大きい）と言える。即ち、このサンプル点の輝度を「輝度３」とすると、「輝度３」のサンプル点は起点よりも明るいと言える。図４（ａ）に示す例においては、点Ｄ１、点Ｅ１の輝度が「輝度３」として特定される。
【００３５】
同様にして、操作者は、起点の単位図形の設定色については固定し、「輝度２」、「輝度３」以外のサンプル点に表示された単位図形の設定色を「３」よりも暗い「４」に変更する指示を入力することで、「輝度４」を示すサンプル点が特定される。その後、まだ輝度が特定されていないサンプル点がある場合には、続けて、操作者はサンプル点に表示された単位図形の設定色を「４」よりも暗い「５」に変更する指示を入力することで、「輝度５」を示すサンプル点が特定される。
【００３６】
また、起点よりも暗いサンプル点については、操作者は、サンプル点の単位図形の設定色を「２」よりも明るい「１」に変更して起点の単位図形の目視色と比較すれば良い。図４（ａ）に示す例においては、点Ｆ１、点Ｈ１の輝度が「輝度１」、点Ａ１、点Ｃ１の輝度が「輝度４」、点Ｂ１の輝度が「輝度５」として特定される。図４（ｃ）は、各点において特定された輝度の一例を示した図である。以上の手順により、各サンプル点の輝度が特定される。
【００３７】
また、本手順では、操作者は、輝度の特定において、起点の単位図形の設定色を固定してサンプル点の単位図形の設定色を変更したが、サンプル点の単位図形の設定色を固定して起点の単位図形の設定色を順に変更する指示を入力することとしても良い。
【００３８】
また、本手順のように単位図形の設定色がグレーである場合、投影領域１１Ａの背景画像の色は、単位図形の目視色の違いが判別しやすい黒色等の暗い色にすることが考えられる。ただし、外光がある場合には目視色の違いがより判別しづらくなるため、外光による影響を抑えるために背景を緑色や赤色等の高彩度の色にしても良い。
【００３９】
＜輝度中心点の特定手順の説明＞
次に、表示制御装置２０が輝度中心点の位置を特定する手順について説明する。輝度中心点を特定する処理は、輝度の特定と同様に、プロジェクタ１０ごとに行われる。図５（ａ）（ｂ）は、輝度中心点の位置を特定する手順の一例について説明するための図である。以下に示す例では、位置決定部２５が輝度中心点を特定するための予め定められた条件を、輝度特定部２４から最も輝度の大きい点が通知された回数が予め定められた回数に達することであるとする（以下、ここでの予め定められた回数を、中心点特定回数と称する）。
【００４０】
また、以下では、第１のプロジェクタ１０Ａについて輝度中心点の位置を特定する場合を例として説明する。また、初期状態として、図４（ａ）のように１つの起点および１つ以上のサンプル点が投影領域１１Ａ内に均等に広がるように設定された結果、図４（ｃ）のように各サンプル点の輝度が特定されているものとする。
【００４１】
まず、輝度特定部２４は、投影領域１１Ａ内の全てのサンプル点の輝度が特定されているため、サンプル点のうちで最も輝度の大きい点を選択し、選択した点を位置決定部２５に通知する。図４（ｃ）に示す例において、サンプル点Ｂ１が「輝度５」で最も明るく輝度が大きいため、輝度特定部２４は点Ｂ１を選択する。そして、サンプル点Ｂ１を選択したことが位置決定部２５に通知されると、位置決定部２５は、点Ｂ１を起点として、点Ｂ１の周囲に新たなサンプル点が配置されるようにサンプル点の位置を決定する。ここで、位置決定部２５は、新たなサンプル点および起点の間隔が、図４（ｃ）に示す起点およびサンプル点の間隔よりも狭くなるように、新たなサンプル点の位置を決定する。
【００４２】
図５（ａ）は、点Ｂ２（図４（ｃ）における点Ｂ１）を起点とした各点の位置を示す一例の図である。図５（ａ）に示す例において、点Ｂ２の周囲にサンプル点として点Ａ２、点Ｃ２、点Ｄ２が設定される。ここで、例えば、図４（ｃ）に示す点Ａ１と点Ｂ１との表示間隔よりも、図５（ａ）に示す点Ａ２と点Ｂ２との表示間隔の方が狭い。そして、輝度特定部２４は、図４（ｃ）に示す各点と同様に、図５（ａ）に示す各サンプル点の輝度を特定し、サンプル点のうちで最も輝度が大きい点を選択する。ここでは、サンプル点Ｄ２が最も輝度が大きい点として選択されるものとする。
【００４３】
次に、サンプル点Ｄ２が位置決定部２５に通知されると、位置決定部２５は、点Ｄ２を起点として、点Ｄ２の周囲に新たなサンプル点が配置されるようにサンプル点の位置を決定する。図５（ｂ）は、点Ｄ３（図５（ａ）における点Ｄ２）を起点とした各点の位置を示す一例の図である。図５（ｂ）に示す例において、点Ｄ３の周囲にサンプル点として点Ａ３〜Ｃ３、点Ｅ３が設定される。ここで、例えば、図５（ａ）に示す点Ｂ２と点Ｄ２との表示間隔よりも、図５（ｂ）に示す点Ｂ３と点Ｄ３との表示間隔の方が狭い。そして、輝度特定部２４は、図５（ｂ）に示す各サンプル点の輝度を特定し、サンプル点のうちで最も輝度が大きい点を選択する。ここでは、サンプル点Ｃ３が最も輝度が大きい点として選択されるものとする。
【００４４】
次に、例えば、中心点特定回数が３回である場合、サンプル点Ｃ３の通知により、最も輝度の大きいサンプル点（点Ｂ１、点Ｄ２、点Ｃ３）が通知された回数が中心点特定回数に達するため、位置決定部２５は、最後に輝度特定部２４により選択された点Ｃ３を輝度中心点として特定する。
【００４５】
以上のようにして、表示制御装置２０は、起点およびサンプル点の間隔を狭くしながら輝度の大きい点の選択を繰り返すことで、輝度中心点の位置を特定する。そして、輝度中心点の位置が特定されると、表示制御部２６は、輝度中心点を示す画像がスクリーン３０に表示されるようにプロジェクタ１０を制御する。輝度中心点を示す画像としては、投影領域１１におけるどの位置に輝度中心点があるかが操作者にとって把握できるような画像であれば良い。例えば、背景画像と輝度中心点を示す単位図形とから構成される画像や、輝度を測定した複数の単位図形を表示させたまま、輝度中心点を示す単位図形のみ色を変えたり、輝度中心点を示す単位図形のみ点滅させたりする画像等が、輝度中心点を示す画像の例として挙げられる。
【００４６】
また、本実施の形態では、第１のプロジェクタ１０Ａおよび第２のプロジェクタ１０Ｂの投影領域１１は重複しているため、操作者は、一方のプロジェクタ１０において輝度の特定や輝度中心点の特定を行う際、他方のプロジェクタ１０の投影領域１１がスクリーン３０上に表示されないようにしなければならない。一方、例えば、第１のプロジェクタ１０Ａおよび第２のプロジェクタ１０Ｂの投影領域１１が重複していなければ、操作者は、両方のプロジェクタ１０の投影領域１１がスクリーン３０上に表示されている状態で各プロジェクタ１０の輝度の特定や輝度中心点の特定を行っても良い。
【００４７】
＜輝度中心点を示す画像を表示する手順の説明＞
次に、表示制御装置２０が輝度中心点を示す画像を表示する手順について説明する。図６は、輝度中心点を示す画像を表示する手順の一例を示したフローチャートである。以下では、表示制御装置２０が第１のプロジェクタ１０Ａにおける輝度中心点を示す画像を表示する場合を例として説明する。また、初期状態として、まだ投影領域１１Ａ内に単位図形が表示されていないものとする。
【００４８】
まず、受付部２１は、操作者から単位図形の表示を開始する指示を受け付ける（ステップ１０１）。そして、受付部２１は、受け付けた指示を色決定部２３および位置決定部２５に出力する。次に、位置決定部２５は、受付部２１から単位図形の表示を開始する指示が入力されると、投影領域１１Ａ内における１つの起点および少なくとも１つのサンプル点の位置を決定する（ステップ１０２）。そして、位置決定部２５は、決定した起点およびサンプル点の位置の情報を色決定部２３、輝度特定部２４および表示制御部２６に出力する。
【００４９】
また、色決定部２３は、受付部２１から単位図形の表示を開始する指示が入力され、位置決定部２５により起点およびサンプル点の位置が決定されると、起点およびサンプル点における全ての設定色を予め定められた色等の同一の色として決定する（ステップ１０３）。また、色決定部２３は、背景画像の色を単位図形とは異なる色に決定する。そして、色決定部２３は、決定した単位図形の設定色の情報を輝度特定部２４および表示制御部２６に出力し、決定した背景画像の色の情報を表示制御部２６に出力する。
【００５０】
次に、表示制御部２６は、位置決定部２５から入力された起点およびサンプル点の位置の情報、色決定部２３から入力された各単位図形の設定色の情報および背景画像の色の情報に基づいて、単位図形および背景画像が表示されるようにプロジェクタ１０を制御する（ステップ１０４）。本実施の形態において、ステップ１０４は、第１の画像を表示させるステップの一例に該当する。
【００５１】
次に、受付部２１は、操作者からの指示として、起点の単位図形の目視色と同じ色に見える単位図形が表示されたサンプル点を選択する指示を受け付ける（ステップ１０５）。ここで、起点の単位図形の目視色と同じ色に見えない単位図形が表示されたサンプル点に関して、操作者は、サンプル点における単位図形の設定色を変更する指示を入力する。そして、設定色が変更され、起点の単位図形の目視色と同じ色に見えるようになれば、操作者はそのサンプル点の選択を行う。そして、受付部２１は、サンプル点を選択する指示を受け付けると、受け付けた指示を輝度特定部２４に出力する。
【００５２】
輝度特定部２４は、受付部２１からサンプル点を選択する指示が入力されると、起点およびサンプル点における単位図形の設定色をもとに、選択されたサンプル点の輝度を特定する（ステップ１０６）。次に、輝度特定部２４は、投影領域１１Ａ内の全てのサンプル点の輝度を特定したか否かを判定する（ステップ１０７）。全てのサンプル点の輝度が特定された場合（ステップ１０７でＹｅｓ）、輝度特定部２４は、サンプル点のうちで最も輝度の大きい点を選択して（ステップ１０８）、選択した点を位置決定部２５に通知する。一方、まだ輝度が特定されていないサンプル点がある場合（ステップ１０７でＮｏ）、ステップ１０５に移行する。
【００５３】
次に、位置決定部２５は、輝度特定部２４からサンプル点のうちで最も輝度の大きい点が通知されると、通知回数が中心点特定回数に達したか否かを判定する（ステップ１０９）。通知回数が中心点特定回数に達していなければ（ステップ１０９でＮｏ）、位置決定部２５は、最も輝度の大きい点として通知された点を新たな起点とし、新たな起点の周囲に新たなサンプル点が配置されるようにサンプル点の位置を決定する（ステップ１１０）。そして、位置決定部２５は、決定した起点およびサンプル点の位置の情報を色決定部２３、輝度特定部２４および表示制御部２６に出力し、ステップ１０３に移行する。ここで、新たに設定される各点の単位図形の設定色は、全て同一の色となるように色決定部２３に決定される。
【００５４】
一方、通知回数が中心点特定回数に達していれば（ステップ１０９でＹｅｓ）、位置決定部２５は、輝度特定部２４により最後に選択された点を輝度中心点として特定する（ステップ１１１）。そして、位置決定部２５は、特定した輝度中心点の位置の情報を表示制御部２６に出力する。表示制御部２６は、位置決定部２５から入力された輝度中心点の位置の情報をもとに、輝度中心点を示す画像がスクリーン３０に表示されるようにプロジェクタ１０を制御し（ステップ１１２）、本手順のフローは終了する。本実施の形態において、ステップ１１１は、輝度中心点を特定するステップの一例に該当する。また、ステップ１１２は、輝度中心点を示す画像を表示させるステップの一例に該当する。
【００５５】
そして、スクリーン３０に輝度中心点を示す画像が表示されると、操作者は、表示された輝度中心点により投影光の中心の位置を把握する。また、操作者は、投影光の中心を向ける目標中心点を決定し、表示された輝度中心点が目標中心点に重なるように、投影光の中心を現状の位置から目標中心点の位置に向けて移動させて、プロジェクタ１０の位置（向き）を調整する。本実施の形態において、目標中心点を決定する工程が、第２の位置を決定するステップの一例に該当する。また、投影光の中心を目標中心点の位置に向けて移動させる工程が、第２の位置に向けて移動させるステップの一例に該当する。
【００５６】
＜投影光の中心を移動させる手順の説明＞
図７は、輝度中心点を示す画像をもとに、投影光の中心を目標中心点に向けて移動させる手順の一例を説明するための図である。また、以下では、表示制御装置２０が第１のプロジェクタ１０Ａにおける輝度中心点を示す画像を表示する場合を例として説明する。
【００５７】
図６に示す手順により投影領域１１Ａ内の輝度中心点が特定されると、表示制御部２６は、輝度中心点を示す画像を表示するようにプロジェクタ１０Ａを制御する。図７に示す例においては、投影領域１１Ａ内に輝度中心点の位置を示す図形１３が表示されている。また、操作者は、投影光の中心を移動させる前に、プロジェクタ１０の台数等をもとに事前に目標中心点の位置を決定しておき、スクリーン３０上に印を付ける等して明確にしておく。図７に示す例においては、操作者は、図形１４の位置を目標中心点として決定しているものとする。そして、操作者は、輝度中心点を示す画像をもとに、投影光の中心が、現状の位置である図形１３の位置から目標中心点の位置である図形１４の位置に向けて（矢印の向きに）移動するように、プロジェクタ１０Ａの位置（向き）を調整する。
【００５８】
以上のように、本実施の形態に係る表示制御装置２０は、投影領域１１内に起点およびサンプル点を設定し、操作者の目視をもとにサンプル点の輝度を特定することで、輝度中心点の位置を特定し、輝度中心点が投影領域１１におけるどの位置にあるかを示す画像を表示させる。プロジェクタ１０の投影領域１１には光量の差により輝度むらが生じるが、例えば、投影領域１１を大きくしたり、複数のプロジェクタ１０を用いて投影領域１１を重ねたりすることにより、輝度むらが大きくなる場合がある。そのため、プロジェクタ１０の設置時には、プロジェクタ１０の向きの調整や、投影領域１１が重なる場合に隣り合った投影領域１１との境界が目立たなくなるように輝度を調整するブレンディング等の処理により、輝度むらの調整が行われる。
【００５９】
本実施の形態に係る表示制御装置２０は、操作者の目視をもとに投影領域１１内の輝度中心点の位置が特定され、輝度中心点を示す画像が表示される。そのため、操作者は、投影光の中心がどの位置にあるのかを把握すると共に、投影光の中心を目標とする位置に移動させる調整を行い易くなる。また、例えば、２次元測定器を用いて複数箇所の輝度を測定して輝度むらの情報を取得する構成と比較して、輝度むらの状況の把握や調整が容易になる。さらに、表示制御装置２０を用いることで、例えば、高価な２次元測定器を用いる場合よりも、安価な構成で輝度むらの状況の把握や調整が行われる。
【００６０】
また、本実施の形態では、輝度特定部２４は、サンプル点のうちで最も輝度が大きい点を選択し、選択した点を位置決定部２５に通知することとしたが、例えば、起点およびサンプル点のうちで最も輝度が大きい点を選択することとしても良い。
【００６１】
さらに、本実施の形態では、位置決定部２５が輝度中心点を決定するための予め定められた条件を、輝度特定部２４から最も輝度の大きい点が通知された回数が中心点特定回数に達することとしたが、このような構成に限られるものではない。例えば、位置決定部２５は、一度起点になった点が最も輝度が大きい点として選択された場合に、その選択された点を輝度中心点として決定するような構成にしても良い。また、操作者が、各点の輝度をもとに輝度中心点を選択できるような構成にしても良い。
【００６２】
そして、本実施の形態では、受付部２１は、操作者からの指示として起点またはサンプル点の設定色を変更する指示を受け付けることとしたが、このような構成に限られるものではない。例えば、色決定部２３が一定時間ごとに異なる設定色を決定することで、操作者が指示することなく自動的に起点やサンプル点の設定色が変更されるような構成にしても良い。
【００６３】
また、本実施の形態では、単位図形の設定色をグレーとしたが、グレーである構成に限られるものではなく、目視色の違いが判別できる色であれば、例えば、黄色等のグレー以外の色でも良いものとする。
【００６４】
さらに、本実施の形態では、２台のプロジェクタ１０により画像をスクリーン３０に投影することとしたが、このような構成に限られるものではない。例えば、１台のプロジェクタ１０や３台以上のプロジェクタ１０を用いて画像をスクリーン３０に投影するような構成であっても良い。
【００６５】
［実施の形態２］
実施の形態１に係る表示制御装置２０は、特定した各サンプル点の輝度をもとに輝度中心点の位置を決定した。一方、実施の形態２に係る表示制御装置２０は、特定した各サンプル点の輝度をもとに、輝度中心点の位置ではなく、投影領域１１内で輝度が予め定められた基準値を示すと予測される点の位置を決定する。
【００６６】
ここで、操作者は、例えば、プロジェクタ１０が出力する色の特性に関するデータを取得する際、投影領域１１内で輝度の大きい点や小さい点にパッチ画像を表示させて色を測定しても、測定する点の輝度が平均からずれているため、データに偏りが生じ出力特性のデータの精度が低くなる場合がある。そのため、本実施の形態に係る表示制御装置２０は、例えば、プロジェクタ１０が出力する色の特性を測定するための点として、投影領域１１内で輝度が平均を示すと予測される点（以下、輝度平均点と称する）の位置を決定する。輝度平均点の位置の決定により、操作者は、投影領域１１内で輝度が平均を示すと予測される点で出力特性のデータの取得を行えば良い。本実施の形態では、予め定められた基準値の一例として、投影領域１１内における輝度の平均を定めている。また、以下の説明では、実施の形態１と同様の構成のものについては、同じ符号を付してその詳細な説明を省略する。
【００６７】
図８は、輝度平均点の位置を決定する手順の一例について説明するための図である。位置特定手段一例としての輝度特定部２４は、図４を用いて説明したのと同様の手順により各サンプル点の輝度を特定すると、サンプル点の輝度の平均値を算出する。また、投影領域１１内で輝度は連続的に変化するため、輝度特定部２４は、起点や各サンプル点の輝度に基づいて、投影領域１１内での輝度の分布を予測する。そして、輝度特定部２４は、予測した投影領域１１内での輝度の分布をもとに、輝度が平均値を示す輝度平均点の位置を特定する。
【００６８】
図８に示す例では、サンプル点（点Ａ４〜点Ｈ４）の輝度が特定され、サンプル点の輝度の平均値が１．７５（＝（１×３＋２×４＋３×１）／８）と算出される。輝度特定部２４は、起点や点Ａ４〜点Ｈ４の輝度に基づいて投影領域１１内での輝度の分布を予測し、輝度が１．７５となる点（輝度平均点）の位置を特定する。図８に斜線で示した点が、ここで特定された輝度平均点である。
【００６９】
図９は、輝度平均点の位置を決定する手順の一例を示したフローチャートである。ステップ２０１乃至ステップ２０７の処理は、図６に示すステップ１０１乃至ステップ１０７の処理と同様であるため、説明を省略する。そして、ステップ２０７で肯定の判断（Ｙｅｓ）がされた場合、即ち、全てのサンプル点の輝度が特定された場合、輝度特定部２４は、サンプル点の輝度の平均値を算出する（ステップ２０８）。
【００７０】
次に、輝度特定部２４は、起点やサンプル点の輝度から投影領域１１内での輝度の分布を予測し、予測した輝度分布とステップ２０８で算出した輝度の平均値とをもとに、輝度平均点の位置を決定する（ステップ２０９）。そして、輝度特定部２４は、決定した輝度平均点の位置の情報を表示制御部２６に出力する。表示制御部２６は、輝度特定部２４から入力された輝度平均点の位置の情報に基づいて、輝度平均点がスクリーン３０に表示されるようにプロジェクタ１０を制御し（ステップ２１０）、本手順のフローは終了する。
【００７１】
また、本実施の形態に係る表示制御装置２０は、投影領域１１内で輝度が平均値を示す点を決定すれば良いため、実施の形態１の図６に示す手順のように輝度の大きいサンプル点を選択する処理を繰り返し実行しなくても良い。一方、本実施の形態においても、輝度の大きいサンプル点を選択する処理を繰り返し実行することとすれば、処理時間は長くなるが、輝度が特定されたサンプル点の数が増えるため、輝度平均点の位置がより正確に決定される。
【００７２】
以上のように、本実施の形態に係る表示制御装置２０は、目視によりサンプル点の輝度を特定することで、輝度が予め定められた基準値を示すと予測される点の位置を決定する。表示制御装置２０が輝度平均点の位置を決定することとすると、例えば、２次元測定器を用いて複数箇所の輝度を測定して輝度平均点の位置を特定する構成と比較して、輝度平均点の位置の情報の取得が容易になる。また、表示制御装置２０を用いることで、例えば、高価な２次元測定器を用いる場合よりも、安価な構成で輝度平均点の位置の情報の取得が行われる。そして、操作者は、パーソナルコンピュータ（不図示）等を用いて輝度平均点の位置にパッチ画像を表示させ、表示されたパッチ画像の色を測色器（不図示）により測定することで、プロジェクタ１０の出力特性のデータを取得する。
【００７３】
また、本実施の形態では、輝度特定部２４は、サンプル点の輝度の平均値を算出して輝度平均点の位置を特定したが、起点およびサンプル点の輝度の平均値を算出して輝度平均点の位置を特定することとしても良い。
【００７４】
さらに、本実施の形態では、２台のプロジェクタ１０により画像をスクリーン３０に投影することとしたが、このような構成に限られるものではない。例えば、実施の形態１と同様に、１台のプロジェクタ１０や３台以上のプロジェクタ１０を用いて画像をスクリーン３０に投影するような構成であっても良い。また、プロジェクタ１０ではなく、例えば１００インチを超えるような大型ディスプレイが出力する色特性のデータを取得する場合に、表示制御装置２０を用いることとしても良い。
【００７５】
＜適用可能なコンピュータの説明＞
ところで、実施の形態１および実施の形態２に係る表示制御装置２０の処理は、汎用のコンピュータにおいて実現してもよい。そこで、これらの処理をコンピュータで実現するものとして、そのハードウェア構成について説明する。
【００７６】
図１０は、本発明の実施の形態に係る表示制御装置２０のハードウェア構成例を示した図である。
図示するように、表示制御装置２０は、演算手段であるＣＰＵ（Central Processing Unit）４１と、記憶手段であるメインメモリ４２及び磁気ディスク装置（ＨＤＤ：Hard Disk Drive）４３とを備える。ここで、ＣＰＵ４１は、ＯＳ（Operating System）やアプリケーション等の各種ソフトウェアを実行し、上述した各機能を実現する。また、メインメモリ４２は、各種ソフトウェアやその実行に用いるデータ等を記憶する記憶領域であり、磁気ディスク装置４３は、表示制御装置２０の各機能を実現するためのプログラムを格納している。そして、このプログラムがメインメモリ４２にロードされ、このプログラムに基づく処理がＣＰＵ４１により実行されることで、各機能が実現される。さらに、表示制御装置２０は、外部との通信を行うための通信Ｉ／Ｆ４４と、ビデオメモリやディスプレイ等からなる表示機構４５と、キーボードやマウス等の入力デバイス４６とを備える。
【００７７】
具体的には、表示制御装置２０において、例えば、ＣＰＵ４１が行う指示により、本実施の形態に係る受付部２１、色決定部２３、輝度特定部２４、位置決定部２５、表示制御部２６の各機能が実現される。また、例えば、操作者が表示機構４５に表示された表示内容に対して入力デバイス４６を用いることで、受付部２１に対する入力が実現される。
【００７８】
＜プログラムの説明＞
以上説明を行った実施の形態１および実施の形態２における表示制御装置２０が行う処理は、例えば、アプリケーションソフトウェア等のプログラムとして用意される。
【００７９】
よって、表示制御装置２０が行う処理は、コンピュータに、予め定められた表示領域１２に投影光を出力する投影装置に対し、投影光により投影される投影領域１１における複数の位置にそれぞれ複数の図形が表示されるよう、複数の図形を含む第１の画像を投影させ表示させる機能と、表示された複数の図形のうち輝度が最大となる図形を特定することで、投影領域１１において輝度が最大となる輝度中心点を特定する機能と、投影装置に対し、特定した輝度中心点を示す第２の画像を投影させ表示させる機能と、を実現させるためのプログラム、として捉えることもできる。
【００８０】
なお、実施の形態１および実施の形態２を実現するプログラムは、通信手段により提供することはもちろん、ＣＤ−ＲＯＭ等の記録媒体に格納して提供することも可能である。
【００８１】
また、実施の形態１および実施の形態２では、表示制御装置２０をプロジェクタ１０とは別の装置としたが、プロジェクタ１０が表示制御装置２０の機能を備えるような構成にしても良い。
【符号の説明】
【００８２】
１…表示システム、１０…プロジェクタ、１１…投影領域、１２…表示領域、２０…表示制御装置、２１…受付部、２３…色決定部、２４…輝度特定部、２５…位置決定部、２６…表示制御部
【要約】
【課題】投影装置に投影領域における輝度中心点を示す画像を表示させて投影光の中心がどの位置にあるのかを把握する。
【解決手段】
表示制御装置２０は、予め定められた表示領域に投影光を出力するプロジェクタ１０Ａまたはプロジェクタ１０Ｂに対し、投影光により投影される投影領域における複数の位置にそれぞれ複数の図形が表示されるよう、複数の図形を含む第１の画像を表示させ、表示された複数の図形のうち輝度が最大となる図形を特定することで、投影領域において輝度が最大となる輝度中心点を特定し、さらに、プロジェクタ１０Ａまたはプロジェクタ１０Ｂに対し、特定された輝度中心点を示す第２の画像を表示させる。
【選択図】図１【図１】
0005644968.tif 000002
【図２】
0005644968.tif 000003
【図３】
0005644968.tif 000004
【図４】
0005644968.tif 000005
【図５】
0005644968.tif 000006
【図６】
0005644968.tif 000007
【図７】
0005644968.tif 000008
【図８】
0005644968.tif 000009
【図９】
0005644968.tif 000010
【図１０】
0005644968.tif 000011